(57)【要約】【課題】  従来よりも操作性を向上することができるサービス実行システムを提供する。【解決手段】  サービス実行装置１０は、サービス記述に基づいてサービスを実行するサービス実行部１１と、ＩＤに対応付けてサービス記述を記憶するＩＤサービス記述記憶部１２と、物に付されたＩＤを取得するＩＤ取得部１３と、ＩＤ取得部１３によって取得されたＩＤに対応付けられたサービス記述をＩＤサービス記述記憶部１２から取得するサービス記述取得部１４とを備え、サービス実行部１１は、サービス記述取得部１４によって取得されたサービス記述に基づいてサービスを実行する。【選択図】  図１
2005293438.tif 000002
【特許請求の範囲】
【請求項１】
識別情報を取得する識別情報取得手段と、
取得した識別情報に対応するサービス情報を識別情報に対応付けてサービス情報を記憶する記憶手段から取得するサービス情報取得手段と、
前記サービス情報に基づいてサービスを実行するサービス実行手段と、を有することを特徴とするサービス実行装置。
【請求項２】
前記記憶手段は、複数の識別情報の組合せに対応付けてサービス情報を記憶し、
前記サービス情報取得手段は、前記識別情報取得手段によって取得した識別情報の組合せに対応付けられたサービス情報を前記記憶手段から取得することを特徴とする請求項１に記載のサービス実行装置。
【請求項３】
前記記憶手段に新たな識別情報に対応付けてサービス情報を登録する登録手段を有することを特徴とする請求項１または２に記載のサービス実行装置。
【請求項４】
前記識別情報取得手段は識別情報が付された物から前記識別情報を取得することを特徴とする請求項１〜３いずれか１項に記載のサービス実行装置。
【請求項５】
サービス情報に基づいてサービスを実行するサービス実行手段を有するクライアントと、識別情報に対応付けてサービス情報を記憶する記憶手段を有するサーバと、を備えたサービス実行システムであって、
前記クライアントは、識別情報を取得する識別情報取得手段と、前記サーバの記憶手段から取得した識別情報に対応するサービス情報を取得するサービス情報取得手段と、を有し、前記サービス実行手段は取得したサービス情報に基づいてサービスを実行する、ことを特徴とするサービス実行システム。
【請求項６】
前記クライアントは、前記サービス情報取得手段によって取得したサービス情報を識別情報に対応付けて記憶するクライアント側記憶手段を有し、前記サービス情報取得手段は、前記識別情報取得手段によって取得した識別情報に対応付けられたサービス情報を前記クライアント側記憶手段から取得することを特徴とする請求項５に記載のサービス実行システム。
【請求項７】
前記サービス情報取得手段は、前記サーバの記憶手段からのサービス情報の取得に失敗したときには、当該サーバとは別のサーバからサービス情報の取得を試みることを特徴とする請求項５または６に記載のサービス実行システム。
【請求項８】
前記サーバの記憶手段またはクライアント側記憶手段は、複数の識別情報の組合せに対応付けてサービス情報を記憶し、前記サービス情報取得手段は、前記識別情報取得手段によって取得した識別情報の組合せに対応付けられたサービス情報を前記サーバの記憶手段またはクライアント側記憶手段から取得することを特徴とする請求項５〜７いずれか１項に記載のサービス実行システム。
【請求項９】
前記サーバの記憶手段またはクライアント側記憶手段に新たな識別情報に対応付けてサービス情報を登録する登録手段を有することを特徴とする請求項５〜８いずれか１項に記載のサービス実行システム。
【請求項１０】
前記識別情報取得手段は識別情報が付された物から前記識別情報を取得することを特徴とする請求項５〜９いずれか１項に記載のサービス実行システム。
【発明の詳細な説明】
【技術分野】
【０００１】
本発明は、各種のサービスを実行するサービス実行技術に係り、特に、ユーザの操作負担を軽減するサービス実行技術に関するものである。
【背景技術】
【０００２】
従来のサービス実行装置としては、キーボード、マウス、ボタン、リモコン等の入力デバイスが利用者に操作されることによってサービスを実行するものが知られている（例えば、特許文献１参照。）。
【特許文献１】特開平７−２１０５１０号公報(第５頁、図５)
【発明の開示】
【発明が解決しようとする課題】
【０００３】
しかしながら、従来のサービス実行装置においては、サービスを受けようとする利用者に、メニューを辿らせる等して所定の順序に従って入力デバイスを何度も操作させる必要があり、利用者にとって負担を強いる場合があるという問題があった。
【０００４】
本発明は、かかる事情に鑑みてなされたものであり、その目的は、従来よりも操作性を向上することができるサービス実行技術を提供することにある。
【課題を解決するための手段】
【０００５】
そこで上記課題を解決するために、請求項１に記載のサービス実行装置は、識別情報を取得する識別情報取得手段と、取得した識別情報に対応するサービス情報を識別情報に対応付けてサービス情報を記憶する記憶手段から取得するサービス情報取得手段と、前記サービス情報に基づいてサービスを実行するサービス実行手段と、を有することを特徴とする。
【０００６】
この構成により、本発明のサービス実行装置は、識別情報に基づいてサービスを実行するので、従来より操作性を向上することができる。
【０００７】
また、請求項２に記載のサービス実行装置は、請求項１において、前記記憶手段は、複数の識別情報の組合せに対応付けてサービス情報を記憶し、前記サービス情報取得手段は、前記識別情報取得手段によって取得した識別情報の組合せに対応付けられたサービス情報を前記記憶手段から取得することを特徴とする。
【０００８】
この構成により、本発明のサービス実行装置は、サービス情報が複数の識別情報の組合せとは対応付けられない構成と比較して、識別情報に基づいて実行するサービスの種類を増加させることができる。
【０００９】
また、請求項３に記載のサービス実行装置は、請求項１または２において、前記記憶手段に新たな識別情報に対応付けてサービス情報を登録する登録手段を有することを特徴とする。
【００１０】
この構成により、本発明のサービス実行装置は、識別情報に基づいて実行するサービスの種類を利用者に増加させることができる。
【００１１】
また、請求項４に記載のサービス実行装置は、請求項１〜３において、前記識別情報取得手段は識別情報が付された物から前記識別情報を取得することを特徴とする。
【００１２】
この構成により、本発明のサービス実行装置は、物に付された識別情報に基づいてサービスを実行するので、更に操作性を向上することができる。
【００１３】
また、請求項５に記載のサービス実行システムは、サービス情報に基づいてサービスを実行するサービス実行手段を有するクライアントと、識別情報に対応付けてサービス情報を記憶する記憶手段を有するサーバと、を備えたサービス実行システムであって、前記クライアントは、識別情報を取得する識別情報取得手段と、前記サーバの記憶手段から取得した識別情報に対応するサービス情報を取得するサービス情報取得手段と、を有し、前記サービス実行手段は取得したサービス情報に基づいてサービスを実行する、ことを特徴とする。
【００１４】
この構成により、本発明のサービス実行システムは、識別情報に基づいてサービスを実行するので、従来より操作性を向上することができる。
【００１５】
また、請求項６に記載のサービス実行システムは、請求項５において、前記クライアントは、前記サービス情報取得手段によって取得したサービス情報を識別情報に対応付けて記憶するクライアント側記憶手段を有し、前記サービス情報取得手段は、前記識別情報取得手段によって取得した識別情報に対応付けられたサービス情報を前記クライアント側記憶手段から取得することを特徴とする。
【００１６】
この構成により、本発明のサービス実行システムは、識別情報に基づいて一度実行したサービスについては、再度実行するときに再度サーバからサービス情報を取得しなくても良いので、常にサーバからサービス情報を取得しなければならない構成と比較して、応答性を向上することができる。
【００１７】
また、請求項７に記載のサービス実行システムは、請求項５または６において、前記サービス情報取得手段は、前記サーバの記憶手段からのサービス情報の取得に失敗したときには、当該サーバとは別のサーバからサービス情報の取得を試みることを特徴とする。
【００１８】
この構成により、本発明のサービス実行システムは、利用者による一度の操作によってクライアントが複数のサーバと情報の送受信を行うことができるので、利用者がサーバ毎に何度も操作しなければならない構成と比較して、操作性を向上することができる。
【００１９】
また、請求項８に記載のサービス実行システムは、請求項５〜７において、前記サーバの記憶手段またはクライアント側記憶手段は、複数の識別情報の組合せに対応付けてサービス情報を記憶し、前記サービス情報取得手段は、前記識別情報取得手段によって取得した識別情報の組合せに対応付けられたサービス情報を前記サーバの記憶手段またはクライアント側記憶手段から取得することを特徴とする。
【００２０】
この構成により、本発明のサービス実行システムは、サービス情報が複数の識別情報の組合せとは対応付けられない構成と比較して、識別情報に基づいて実行するサービスの種類を増加させることができる。
【００２１】
また、請求項９に記載のサービス実行システムは、請求項５〜８において、前記サーバの記憶手段またはクライアント側記憶手段に新たな識別情報に対応付けてサービス情報を登録する登録手段を有することを特徴とする。
【００２２】
この構成により、本発明のサービス実行システムは、識別情報に基づいて実行するサービスの種類を利用者に増加させることができる。
【００２３】
また、請求項１０に記載のサービス実行システムは、請求項５〜９において、前記識別情報取得手段は識別情報が付された物から前記識別情報を取得することを特徴とする。
【００２４】
この構成により、本発明のサービス実行システムは、物に付された識別情報に基づいてサービスを実行するので、更に操作性を向上することができる。
【発明の効果】
【００２５】
本発明は、従来よりも操作性を向上することができるサービス実行装置、および、サービス実行システムを提供することができる。
【発明を実施するための最良の形態】
【００２６】
以下、本発明の実施の形態について、図面を用いて説明する。
【００２７】
（第１実施の形態）
まず、第１実施の形態に係るサービス実行装置の構成について説明する。
【００２８】
図１に示すように、本実施の形態に係るサービス実行装置１０は、サービス情報であるサービス記述に基づいてサービスを実行するサービス実行手段としてのサービス実行部１１と、識別情報であるＩＤに対応付けてサービス記述（例えば、図２参照。）を記憶する記憶手段としてのＩＤサービス記述記憶部１２と、チラシ、カタログ、ハガキ、カード、ポケットティッシュ等の物に貼り付けられたＲＦＩＤ（Ｒａｄｉｏ  Ｆｒｅｑｕｅｎｃｙ  Ｉｄｅｎｔｉｆｉｃａｔｉｏｎ）チップに格納されたＩＤを取得する識別情報取得手段としてのＩＤ取得部１３と、ＩＤ取得部１３によって取得されたＩＤに対応付けられたサービス記述をＩＤサービス記述記憶部１２から取得するサービス情報取得手段としてのサービス記述取得部１４と、ＩＤに対応付けてサービス記述をＩＤサービス記述記憶部１２に登録する登録手段としての登録部１５を備えている。
【００２９】
ここで、サービス実行部１１は、サービス記述取得部１４によって取得されたサービス記述に基づいてサービスを実行するようになっている。
【００３０】
次に、サービス実行装置１０の動作について説明する。
【００３１】
先ずＲＦＩＤチップが付された物を利用者がＩＤ取得部１３にかざすと、サービス実行装置１０は、ＲＦＩＤチップのＩＤをＩＤ取得部１３によって取得し、取得したＩＤに対応付けられたサービス記述がＩＤサービス記述記憶部１２に記憶されているか否かをサービス記述取得部１４によって確認する。
【００３２】
そして、サービス実行装置１０は、取得したＩＤに対応付けられたサービス記述がＩＤサービス記述記憶部１２に記憶されているとサービス記述取得部１４によって確認すると、取得したＩＤに対応付けられたサービス記述をサービス記述取得部１４によってＩＤサービス記述記憶部１２から取得し、取得したサービス記述に基づいたサービス（例えば、英会話お試しレッスン）をサービス実行部１１によって実行する。
【００３３】
また、サービス実行装置１０は、取得したＩＤに対応付けられたサービス記述がＩＤサービス記述記憶部１２に記憶されていないとサービス記述取得部１４によって確認すると、サービス記述が無い旨の情報（以下「サービス記述無情報」という。）を利用者に通知する。
【００３４】
なお、サービス実行装置１０は、入力デバイス(図示省略)ヘの利用者による操作に応じて登録部１５によって、ＩＤに対応付けてサービス記述をＩＤサービス記述記憶部１２に登録することができる。
【００３５】
以上に説明したように、サービス実行装置１０は、物に付されたＩＤに基づいてサービスを実行するので、従来よりも操作性を向上することができる。即ち、サービス実行装置１０は、従来よりも簡単かつ短時間の操作で利用者にサービスを提供することができるとともに、サービスを受けようとする利用者が学習しなければならない操作量を従来より低減させることができる。したがって、キーボード、マウス、ボタン、リモコン等の入力デバイスに不慣れな、例えばお年寄りの方等でも容易に利用することができる。
【００３６】
また、サービス実行装置１０は、登録部１５を備えているので、物に付されたＩＤに基づいて実行するサービスの種類を利用者の操作により増加させることができる。
【００３７】
また、サービス実行装置１０は、ＩＤサービス記述記憶部１２が複数のＩＤの組合せに対応付けてサービス記述を記憶し、ＩＤ取得部１３によって取得されたＩＤの組合せに対応付けられたサービス記述をサービス記述取得部１４がＩＤサービス記述記億部１２から取得するようになっていても良い。
【００３８】
サービス実行装置１０は、ＩＤ取得部１３によって取得されたＩＤの組合せに対応付けられたサービス記述をサービス記述取得部１４がＩＤサービス記述記憶部１２から取得するようになっている場合、サービス記述が複数のＩＤの組合せとは対応付けられない構成と比較して、物に付されたＩＤに基づいて実行するサービスの種類を増加させることができる。
【００３９】
例えば、サービス実行装置１０は、別々のＩＤが付された３つの物を利用者が有している場合に、サービス記述が複数のＩＤの組合せとは対応付けられない構成では図３（ａ）に示すように利用者に最大３種類のサービスを提供することができるが、サービス記述が複数のＩＤの組合せとも対応付けられることが可能な構成てば図３（ｂ）に示すように利用者に最大７種類のサービスを提供することができる。
【００４０】
また、サービス実行装置１０は、複数のＩＤを組合せて利用可能な構成である場合、組合せるＩＤの種類によっても様々なサービスを実行するようにすることもできる。
【００４１】
例えば、サービス実行装置１０は、利用者ＡのＩＤと、本屋ＢのＩＤとの組合せに基づいて、データベース(図示省略)から利用者Ａの嗜好を確認し、同様に本屋Ｂの在庫状況を確認することによって、本屋Ｂの在庫のうち利用者Ａの好みの本を利用者Ａに紹介するサービスを実行することができる。
【００４２】
（第２実施の形態）
第２実施の形態に係るサービス実行システムの構成について説明する。
【００４３】
図４に示すように、本実施の形態に係るサービス実行システム５０は、クライアント６０と、サーバ７０とを備えている。
【００４４】
ここで、クライアント６０は、サービス記述に基づいてサービスを実行するサービス実行手段としてのサービス実行部６１と、物に付されたＩＤを取得する識別情報取得手段としてのＩＤ取得部６２と、ＩＤ取得部６２によって取得されたＩＤに対応付けられたサービス記述をサーバ７０から取得するサービス情報取得手段としてのサービス記述取得部６３と、ＩＤ取得部６２によって取得されたＩＤをサーバ７０に送信するＩＤ送信部６４と、サーバ７０からサービス記述を受信するサービス記述受信部６５と、サービス記述受信部６５によって受信されたサービス記述をＩＤに対応付けて記憶するクライアント側記憶手段としてのＩＤサービス記述記憶部６６と、ＩＤに対応付けてサービス記述をＩＤサービス記述記憶部６６に登録する登録手段としての登録部６７とを有している。
【００４５】
ここで、サービス実行部６１は、サービス記述受信部６５によって取得されたサービス記述に基づいてサービスを実行するようになっている。また、サービス記述取得部６３は、サーバからサービス記述の取得を失敗したときに、サービス記述の取得を失敗したサーバとは別のサーバからのサービス記述の取得を試みるようになっている。
【００４６】
なお、サービス記述取得部６３は、ＩＤ取得部６２によって取得されたＩＤがＩＤサービス記述記憶部６６に記憶されている場合には、ＩＤ取得部６２によって取得されたＩＤに対応付けられたサービス記述を、サーバ７０からではなくＩＤサービス記述記憶部６６から取得するようになっている。
【００４７】
また、サーバ７０は、ＩＤに対応付けてサービス記述を記憶する記憶手段としてのＩＤサービス記述記憶部７１と、クライアント６０からＩＤを受信するＩＤ受信部７２と、ＩＤ受信部７２によって受信されたＩＤに対応付けられたサービス記述をＩＤサービス記述記憶部７１から取得するサービス記述取得部７３と、サービス記述取得部７３によって取得されたサービス記述をクライアント６０に送信するサービス記述送信部７４と、ＩＤに対応付けてサービス記述をＩＤサービス記述記憶部７１に登録する登録手段としての登録部７５とを有している。
【００４８】
次に、サービス実行システム５０の動作について説明する。
【００４９】
先ずＲＦＩＤチップが付された物を利用者がクライアント６０のＩＤ取得部６２にかざすと、クライアント６０は、ＲＦＩＤチップのＩＤをＩＤ取得部６２によって取得し、取得したＩＤに対応付けられたサービス記述がＩＤサービス記述記憶部６６に記憶されているか否かをサービス記述取得部６３によって確認する。
【００５０】
そして、クライアント６０は、取得したＩＤに対応付けられたサービス記述がＩＤサービス記述記憶部６６に記憶されているとサービス記述取得部６３によって確認すると、取得したＩＤに対応付けられたサービス記述をサービス記述取得部６３によってＩＤサービス記述記憶部６６から取得し、取得したサービス記述に基づいたサービスをサービス実行部６１によって実行する。
【００５１】
また、クライアント６０は、取得したＩＤに対応付けられたサービス記述がＩＤサービス記述記憶部６６に記憶されていないとサービス記述取得部６３によって確認すると、取得したＩＤをサービス記述取得部６３によってＩＤ送信部６４からサーバ７０に送信する。
【００５２】
サーバ７０は、クライアント６０から送信されたＩＤをサービス記述取得部７３によってＩＤ受信部７２から受信すると、受信したＩＤに対応付けられたサービス記述がＩＤサービス記述記憶部７１に記憶されているか否かをサービス記述取得部７３によって確認する。
【００５３】
そして、サーバ７０は、受信したＩＤに対応付けられたサービス記述がＩＤサービス記述記憶部７１に記憶されているとサービス記述取得部７３によって確認すると、受信したＩＤに対応付けられたサービス記述をサービス記述取得部７３によってＩＤサービス記述記憶部７１から取得し、取得したサービス記述をサービス記述取得部７３によってサービス記述送信部７４からクライアント６０に送信する。
【００５４】
クライアント６０は、サーバ７０から送信されたサービス記述をサービス記述取得部６３によってサービス記述受信部６５から受信すると、受信したサービス記述をＩＤに対応付けてＩＤサービス記述記憶部６６に記憶するとともに、受信したサービス記述に基づいたサービスをサービス実行部６１によって実行する。
【００５５】
一方、サーバ７０は、受信したＩＤに対応付けられたサービス記述がＩＤサービス記述記憶部７１に記憶されていないとサービス記述取得部７３によって確認すると、受信したＩＤと、サービス記述無情報とをサービス記述取得部７３によってサービス記述送信部７４からクライアント６０に送信する。
【００５６】
クライアント６０は、サーバ７０から送信されたサービス記述無情報及びＩＤをサービス記述取得部６３によってサービス記述受信部６５から受信すると、受信したＩＤをサービス記述取得部６３によってＩＤ送信部６４からサーバ７０とは別のサーバに送信する。
【００５７】
そして、クライアント６０は、ＩＤ取得部６２によって取得したＩＤに対応付けられたサービス記述がどのサーバにも記憶されていないとサービス記述取得部６３によって確認すると、サービス記述無情報を利用者に通知する。
【００５８】
なお、サービス実行システム５０は、入力デバイス(図示省略)ヘの利用者による操作に応じてクライアント６０の登録部６７やサーバ７０の登録部７５によって、ＩＤに対応付けてサービス記述をクライアント６０のＩＤサービス記述記憶部６６やサーバ７０のＩＤサービス記述記憶部７１に登録することができる。
【００５９】
以上に説明したように、サービス実行システム５０は、物に付されたＩＤに基づいてサービスを実行するので、サービス実行装置１０（図１参照。）と同様に、従来よりも操作性を向上することができる。
【００６０】
また、サービス実行システム５０は、登録部６７、登録部７５を備えているので、サービス実行装置１０と同様に、物に付されたＩＤに基づいて実行するサービスの種類を利用者に増加させることができる。
【００６１】
また、サービス実行システム５０は、サービス実行装置１０と同様に、クライアント６０のＩＤサービス記述記憶部６６やサーバ７０のＩＤサービス記述記憶部７１が複数のＩＤの組合せに対応付けてサービス記述を記憶し、クライアント６０のＩＤ取得部６２によって取得されたＩＤの組合せに対応付けられたサービス記述をクライアント６０のサービス記述取得部６３がクライアント６０のＩＤサービス記述記憶部６６やサーバ７０のＩＤサービス記述記憶部７１から取得するようになっていても良い。
【００６２】
また、サービス実行システム５０は、複数のＩＤを組合せて利用可能な構成である場合、サービス実行装置１０と同様に、組合せるＩＤの種類によっても様々なサービスを実行するようにすることもできる。
【００６３】
また、サービス実行システム５０は、クライアント６０にＩＤサービス記述記憶部６６を備えているので、物に付されたＩＤに基づいて一度実行したサービスについては、再度実行するときに再度サーバからサービス記述を取得しなくても良いので、常にサーバからサービス記述を取得しなければならない構成と比較して、応答性を向上することができる。
【００６４】
また、サービス実行システム５０は、サービス記述取得部６３がサービス記述の取得を失敗したときにサービス記述の取得を失敗したサーバとは別のサーバからのサービス記述の取得を試みるようになっているので、利用者による一度の操作によってクライアント６０が複数のサーバと情報の送受信を行うことができ、利用者がサーバ毎に何度も操作しなければならない構成と比較して、操作性を向上することができる。
【００６５】
なお、上述した各実施の形態において、ＩＤは、ＲＦＩＤチップに格納されていたが、もちろんＲＦＩＤチップ以外の物に付されていても良い。例えば、ＩＤば、ＩＣカードに格納されていても良いし、バーコードとして物に付されていても良い。
【００６６】
また、上述した各実施の形態においては、物に付されたＩＤについて説明しているが、ＩＤは物に付されていなくても良い。例えば、画面に表示されたＩＤがマウス等の入力デバイスによってクリックされることによって、画面に表示されたＩＤを取得し、取得したＩＤに対応するサービスを実行するようになっていても良い。
【００６７】
なお、本発明は図１もしくは図４に示した装置もしくはシステムの一部又は全部の処理機能をプログラムとして構成してコンピュータを用いて実現すること、あるいは上記説明で示した処理手順をプログラムとして構成してコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【図面の簡単な説明】
【００６８】
【図１】本発明の第１実施の形態に係るサービス実行装置の構成を示すブロック図。
【図２】図１に示すサービス実行装置で使用されるサービス記述の例を示す図。
【図３】図１に示すサービス実行装置におけるＩＤとサービスとの関係を示す図。
【図４】本発明の第２実施の形態に係るサービス実行システムの構成を示すブロック図。
【符号の説明】
【００６９】
１０…サービス実行装置
１１…サービス実行部（サービス実行手段）
１２…ＩＤサービス記述記憶部（記憶手段）
１３…ＩＤ取得部（識別情報取得手段）
１４…サービス記述取得部（サービス情報取得手段）
１５…登録部（登録手段）
５０…サービス実行システム
６０…クライアント
６１…サービス実行部（サービス実行手段）
６２…ＩＤ取得部（識別情報取得手段）
６３…サービス記述取得部（サービス情報取得手段）
６４…ＩＤ送信部
６５…サービス記述受信部
６６…ＩＤサービス記述記憶部（クライアント側記憶手段）
６７…登録部（登録手段）
７０…サーバ
７１…ＩＤサービス記述記憶部（記憶手段）
７２…ＩＤ受信部
７３…サービス記述取得部
７４…サービス記述送信部
７５…登録部（登録手段）
【図１】
2005293438.tif 000003
【図２】
2005293438.tif 000004
【図３】
2005293438.tif 000005
【図４】
2005293438.tif 000006